(57)【特許請求の範囲】
【請求項１】
洗濯機の内槽と接続された脱水軸（５）に設置されるガスケットであって、
金属環本体（２）、および、弾性材料で製造される第１弾性部、第２弾性部（３）を含み、
前記第１弾性部（１）が、前記脱水軸と平行な金属環本体（２）の内側面に設置され、  前記第１弾性部（１）の上端は前記金属環本体（２）の上端より高く、前記第１弾性部（１）の内径は、下端端部から上端端部に向かって次第に小さくなり、
前記第２弾性部（３）が、前記脱水軸と平行な金属環本体（２）の外側面に設置され、前記金属環本体（２）の下に、かつ、前記金属環本体（２）の外側に延伸し、
前記第１弾性部（１）および前記第２弾性部（３）が、それぞれ前記脱水軸（５）と締り嵌めされ、
前記金属環本体（２）は前記脱水軸とすきま嵌めされることを特徴とするガスケット。
【請求項２】
前記第１弾性部（１）が、前記金属環本体（２）の内側周壁に固定接続される弾性環であり、第１弾性部（１）の一部が、前記金属環本体（２）の上端端部とも固定接続されることを特徴とする、請求項１に記載のガスケット。
【請求項３】
前記第２弾性部（３）が、前記金属環本体（２）の外側周壁に固定接続される弾性環であり、前記第２弾性部（３）が前記金属環本体（２）の内側および／または外側に延伸し、前記第２弾性部（３）の一部が、前記金属環本体（２）の下端端部とも固定接続されることを特徴とする、請求項１に記載のガスケット。
【請求項４】
前記第２弾性部（３）における前記金属環本体（２）の下端下方に位置する部分が、内側に延伸して嵌合部（４）を形成し、前記嵌合部（４）が嵌め合わせる軸と締り嵌めされ、嵌合部（４）の内径が、上端端部から下端端部に向かって次第に小さくなることを特徴とする、請求項１から３のいずれか一つに記載のガスケット。
【請求項５】
前記第２弾性部（３）における前記金属環本体（２）の下端下方に位置する前記部分が、外側に延伸して調節部（８）を形成し、前記調節部（８）が前記嵌合部（４）との間に間隙（９）を有することを特徴とする、請求項４に記載のガスケット。
【請求項６】
前記嵌合部（４）が、第１内側湾曲部（４１）と、第１外側湾曲部（４３）と、前記第１内側湾曲部（４１）から前記第１外側湾曲部（４３）まで移行して接続する第１接続部（４２）とを含み、前記第１内側湾曲部（４１）が前記金属環本体（２）の外側方向に湾曲し、
前記調節部（８）が、第２内側湾曲部（８１）と、第２外側湾曲部（８３）と、前記第２内側湾曲部（８１）から前記第２外側湾曲部（８３）まで移行して接続する第２接続部（８２）とを含み、
前記第１外側湾曲部（４３）が、前記第２内側湾曲部（８１）との間に、間隙（９）を形成する一定の間隔を有することを特徴とする、請求項５に記載のガスケット。
【請求項７】
洗濯機の内槽と接続する脱水軸（５）を含み、前記脱水軸（５）にガスケットの下降を防止する突起（１０）が設けられる、請求項４〜６のいずれか１項に記載のガスケットを使用した洗濯機の減速クラッチ装置であって、前記ガスケットが前記脱水軸（５）に設置され、前記第１弾性部（１）が前記脱水軸（５）と締り嵌めされ、および、前記第２弾性部（３）が前記突起（１０）と締り嵌めされることを特徴とする装置。
【請求項８】
前記脱水軸（５）の横断面が円形であり、前記脱水軸（５）の前記突起（１０）と接続する部分の外径が脱水軸（５）の外径と等しく、前記脱水軸（５）に嵌め合わせるガスケットの前記金属環本体（２）、前記第１弾性部（１）および前記第２弾性部（３）が円環状であることを特徴とする、請求項７に記載の洗濯機の減速クラッチ装置。
【請求項９】
前記第１弾性部（１）の最小内径が前記脱水軸（５）の外径より小さく、前記第２弾性部（３）の前記嵌合部（４）が前記突起（１０）と締り嵌めされ、前記嵌合部（４）の最小内径が前記突起（１０）の外径より小さいことを特徴とする、請求項８に記載の洗濯機の減速クラッチ装置。
【発明の詳細な説明】
【技術分野】
【０００１】
本発明は洗濯機のシール材の技術分野に関し、具体的に、ガスケットおよび洗濯機の減速クラッチ装置に関する。
【背景技術】
【０００２】
現在、洗濯機の減速クラッチ装置の脱水軸は、洗濯機の内槽と接続する必要がある。内槽を脱水軸に安定して固定し、さらに内槽を取り付ける高さの確定を確実に保証するため、洗濯機の脱水軸における、内槽との接続部分にガスケットを取り付ける必要がある。既存のガスケットの取付方法は、通常、以下の２種類がある。
【０００３】
１つは、常用されるステンレスガスケットを使用して、減速クラッチ装置の脱水軸に直接取り付ける。図１に示すように、洗濯機の減速クラッチ装置の脱水軸およびガスケットの構造は簡単であり、ガスケットは特別な構造を有さず、ただのステンレスガスケットであるか、またはステンレスガスケットおよびゴムを簡単に組み合わせたものである。減速クラッチ装置の脱水軸断面は円形構造であり、下側にガスケットが下降するのを防止する定位突起が設けられる。
【０００４】
しかし、上記方法では、洗濯機の製造、メンテナンスまたは輸送の過程において、ガスケットが容易に脱落して洗濯機の故障が引き起こされる。さらに、ガスケットが脱落して内槽が下降することにより、パルセータおよび内槽間の隙間が設定値を超え、洗濯過程で衣類が挟まる、および／または詰まる問題が生じる。
【０００５】
もう１つの方法は、図２、図３、図４および図５に示すように、脱水軸の断面が多角形、または多角形および円形を組み合わせた形状を呈する。減速クラッチ装置の脱水軸に１つの溝を設計し、１つの定位突起を形成し、溝は円形構造である。ガスケットの形状は脱水軸の断面と合致するように設計され、ガスケットは脱水軸に取り付けられた後、一定角度回転する。このような脱水軸の定位突起は、ガスケットが脱落しないように留める。
【０００６】
しかし、上記方法には以下の問題が存在する。まず、脱水軸の断面は多角形、または多角形および円形を組み合わせた形状を呈し、このように脱水軸の加工工程をより複雑にする。次に、脱水軸に溝構造が設けられ、脱水軸の全体性が損なわれる。溝部分に応力集中が生じて脱水軸が破壊されやすくなり、脱水軸全体の強度が大幅に低下した。最後に、ガスケットの形状は脱水軸の断面と合致するように設計され、ガスケットの加工工程もより複雑になる。さらに公差に対する要求もより高くなるが、そうでなければガスケットを脱水軸と組み合わせることを実現することができない。
【０００７】
要するに、既存の上記２種の方法は、脱水軸が最も好ましい応力強度を有するのと同時に、ガスケットの固定の安定性を保証することができない。
【発明の概要】
【発明が解決しようとする課題】
【０００８】
上記技術的問題を解決するため、本発明はガスケットを提供する。該ガスケットを洗濯機の減速クラッチ装置に使用して、ガスケットが脱落しやすい問題を解決し、さらに構造設計の原因により、減速クラッチ装置の脱水軸の強度が弱くなる問題を効果的に避けることができる。
【課題を解決するための手段】
【０００９】
具体的に、本発明は以下の技術案を採用した。
ガスケットは、金属環本体および／または弾性材料で製造される第１弾性部、第２弾性部を含む。前記第１弾性部は金属環本体の内側に設置され、第２弾性部は金属環本体の外側に設置され、さらに下に延伸する。前記第１弾性部および第２弾性部は、それぞれ嵌め合わせる軸と締り嵌めされる。
【００１０】
さらに、前記第１弾性部は、金属環本体の内側周壁に固定接続される弾性環である。第１弾性部の上端は金属環本体の上端より高く、第１弾性部の一部は、金属環本体の上端端部とも固定接続される。
【００１１】
さらに、前記第１弾性部の内径は、下端端部から上端端部に向かって次第に小さくなる。
【００１２】
さらに、前記第２弾性部は、金属環本体の外側周壁に固定接続される弾性環である。第２弾性部は金属環本体の内側および／または外側に延伸し、第２弾性部の一部は、金属環本体の下端端部とも固定接続される。
【００１３】
さらに、前記第２弾性部における金属環本体の下端下方に位置する部分は、内側に延伸して嵌合部を形成する。嵌合部は嵌め合わせる軸と締り嵌めされ、嵌合部の内径は、上端端部から下端端部に向かって次第に小さくなる。
【００１４】
さらに、前記第２弾性部における金属環本体の下端下方に位置する部分は、外側に延伸して調節部を形成する。調節部は、嵌合部との間に間隙を有する。
【００１５】
さらに、前記嵌合部は第１内側湾曲部と、第１外側湾曲部と、第１内側湾曲部から第１外側湾曲部まで移行して接続する第１接続部とを含み、第１内側湾曲部は金属環本体の外側方向に湾曲する。
前記調節部は第２内側湾曲部と、第２外側湾曲部と、第２内側湾曲部から第２外側湾曲部まで移行して接続する第２接続部とを含む。
前記第１外側湾曲部は、第２内側湾曲部との間に、間隙を形成する一定の間隔を有する。
【００１６】
本発明のもう１つの目的は、上記の前記ガスケットを使用した洗濯機の減速クラッチ装置を提供することである。洗濯機の内槽と接続する脱水軸を含み、脱水軸にガスケットの下降を防止する突起が設けられる。前記ガスケットが脱水軸に設置されると、前記第１弾性部は脱水軸と締り嵌めされ、および／または第２弾性部は突起と締り嵌めされる。
【００１７】
さらに、前記脱水軸の横断面は円形であり、脱水軸の突起と接続する部分の外径は、脱水軸の外径と等しい。前記脱水軸に嵌め合わせるガスケットの金属環本体、第１弾性部および第２弾性部は、円環状である。
【００１８】
さらに、前記第１弾性部の最小内径は、脱水軸の外径より小さい。前記第２弾性部の嵌合部は突起と締り嵌めされ、嵌合部の最小内径は突起の外径より小さい。
【００１９】
本発明のガスケットは、金属環本体と、弾性材料で製造される第１弾性部、第２弾性部との３層構造を有する。使用するとき、金属環本体は、嵌め合わせる軸とすきま嵌めされ、第１弾性部および第２弾性部は、それぞれ嵌め合わせる軸と締り嵌めされる。このように、本発明のガスケットの取付はより信頼でき、脱落しにくい。
【００２０】
本発明の洗濯機の減速クラッチ装置は、現在の洗濯機の減速クラッチ装置を基に、ガスケットを取り付ける脱水軸の溝を省いている。洗濯機の減速クラッチにおける脱水軸の強度が増強し、洗濯機が高速脱水する状況下で、脱水軸の変形が比較的大きく、洗濯機の振動、騒音が大きくなるのを防止する。さらに、本発明の減速クラッチ装置における脱水軸の横断面は円形であり、加工工程はより簡単である。
【００２１】
さらに、本発明の減速クラッチ装置は、本発明のガスケットを採用することにより、洗濯機の製造、メンテナンスおよび輸送過程において、ガスケットが脱落しにくい。ガスケットの脱落により、洗濯機全体に、パルセータが内槽底部より高くなる、衣類が挟まる、異物が進入するなどの品質の問題が生じるのを防止した。
【図面の簡単な説明】
【００２２】
【図１】図１は、既存のガスケット１の立体構造概要図である。
【図２】図２は、既存のガスケット２の立体構造概要図である。
【図３】図３は、既存のガスケット２の上面図である。
【図４】図４は、既存のガスケット２を洗濯機の減速クラッチ装置に取り付けた組立図である。
【図５】図５は、既存のガスケット２を洗濯機の減速クラッチ装置に取り付けた上面図である。
【図６】図６は、本発明のガスケットの立体構造概要図である。
【図７】図７は、本発明のガスケットの断面図である。
【図８】図８は、本発明の洗濯機の減速クラッチ装置における構造概要図である。
【発明を実施するための形態】
【００２３】
以下、図を組み合わせて、本発明のガスケットおよび洗濯機の減速クラッチ装置について、詳細に記載する。
図６および図７に示すように、本発明のガスケットは金属環本体２および／または弾性材料で製造される第１弾性部１、第２弾性部３を含む。前記第１弾性部１は金属環本体２の内側に設置され、第２弾性部３は金属環本体２の外側に設置され、さらに下に延伸する。前記金属環本体２は、嵌め合わせる軸とすきま嵌めされ、第１弾性部１および第２弾性部３は、それぞれ嵌め合わせる軸と締り嵌めされる。
【００２４】
本発明の金属環本体２は、ステンレスまたはその他の合金材料を採用して製造され、このようにガスケット全体が一定の強度を有することを確実に保証することができる。さらに金属環２の形状は、ガスケットを構成する主な全体構造の形状に設計する。具体的に、本発明の金属環本体２は、具体的な嵌合要求に基づいて、円形孔、方形孔、多角形孔またはその他の確定形状の孔に設計することができる。本発明のガスケットは、取付を便利にするため、本発明の金属環本体２と、取り付けようとする軸との間がすきま嵌めされる。すなわち、金属環本体２の内径は軸の外径より大きい。
【００２５】
本発明のガスケットにおける金属環本体２の内側および外側に、それぞれ第１弾性部１および第２弾性部３が設けられる。前記第１弾性部１および第２弾性部３は、それぞれ弾性材料を採用して製造し、具体的に、ゴム材料を採用して製造することができる。このように、本発明のガスケットを軸と嵌め合わせるとき、第１弾性部１、第２弾性部３はそれぞれ軸と締り嵌めされる。これにより本発明のガスケットを嵌め合わせると、第１弾性部１および第２弾性部３の作用下で、取付がより安定し、脱落しにくく、ガスケットの有効性を確実に保証した。
【００２６】
したがって、本発明のガスケットは、金属環本体２と取り付けようとする軸との間がすきま嵌めされるため、より容易に脱水軸に取り付けることができる。さらにガスケットを取り付けると、第１弾性部１、第２弾性部３はそれぞれ軸と締り嵌めされるため、本発明のガスケットは外れにくく、生産またはメンテナンス時に落ちないことを確実に保証し、洗濯機全体に、パルセータが内槽底部より高くなる、衣類が挟まる、異物が進入するなどの品質の問題が生じるのを防止した。
【００２７】
本発明の好ましい実施方式として、前記第１弾性部１は、金属環本体２の内側周壁に固定接続される弾性環である。第１弾性部１の上端は金属環本体２の上端より高く、第１弾性部１の一部は、金属環本体２の上端端部とも固定接続される。
【００２８】
好ましくは、本発明の第１弾性部１はゴム環であり、ゴム環は金属環本体１の内壁に固定されるため、本発明のガスケットは、金属環本体２の内側にゴム環が１層追加される。ゴム環は一定の弾性を有するため、取り付けるとき、一定の外力またはその他の方式を適用して、本発明のガスケットを取付軸に取り付けることができる。取り付けると、第１弾性部１は、弾力の作用により、取付軸と緊密に接触し、ガスケットの取付の信頼性を確実に保証した。本発明の第１弾性部１の高さは金属環本体２より高く設置され、金属環本体２より高い部分は、金属環本体２の上端端部と固定接続される。このように第１弾性部１および金属環本体２の接触面積を増大させることができ、第１弾性部１および金属環本体２の固定接続の安定性が増大した。
【００２９】
本発明の第１弾性部１の高さは、金属環本体２より高く設置され、前記第１弾性部１の内径は、下端端部から上端端部に向かって次第に小さくなる。これにより、第１弾性部１の内径は、上が小さく、下が大きいラッパ口状を呈する。この利点は、取り付けるとき取付が便利で、取り付けた後外れにくいことであり、本発明のガスケットにおける固定、取付の安定性を確実に保証した。
【００３０】
本発明の好ましい実施方式として、前記第２弾性部３は、金属環本体２の外側周壁に固定接続される弾性環である。第２弾性部３は金属環本体２の内側および／または外側に延伸し、第２弾性部３の一部は、金属環本体２の下端端部とも固定接続される。
【００３１】
好ましくは、前記第２弾性部３もゴム環であり、ゴム環は金属環本体１の外壁に固定されるため、本発明のガスケットは、金属環本体２の外側に下に延伸するゴム環が一層追加される。ゴム環は一定の弾性を有するため、取り付けるとき、一定の外力またはその他の方式を適用して、本発明のガスケットを取付軸に取り付けることができる。取り付けると、第２弾性部３は、弾力の作用により、取付軸と緊密に接触し、ガスケットの取付の信頼性を確実に保証した。本発明の第２弾性部３は、金属環本体２の下部に延伸して設置され、該部分は金属環本体２の下端端部と固定接続される。このように第２弾性部および金属環本体２の接触面積を増大させることができ、第２弾性部３および金属環本体２の固定接続の安定性が増大した。
【００３２】
本発明の好ましい実施方式として、前記第２弾性部３における金属環本体２の下端下方に位置する部分が、内側に延伸して嵌合部４を形成する。嵌合部４は嵌め合わせる軸と締り嵌めされ、嵌合部４の内径は、上端端部から下端端部に向かって次第に小さくなる。
【００３３】
本発明の嵌合部４の内径は、上端端部から下端端部に向かって次第に小さくなる。これにより、第２弾性部３の嵌合部４の内径は、上が小さく、下が大きいラッパ口状を呈する。この利点は、取付が便利で、取り付けた後外れにくいことであり、本発明のガスケットにおける固定、取付の安定性がさらに増大した。
【００３４】
本発明の好ましい実施方式として、前記第２弾性部３における金属環本体２の下端下方に位置する部分が、外側に延伸して調節部８を形成する。調節部８は、嵌合部４との間に間隙９を有する。
【００３５】
本発明の第２弾性部３は嵌合部４および調節部８を含み、嵌合部４は内側に延伸して、取付軸との間の締り嵌めを実現し、ガスケットの取付の安定性を確実に保証する。調節部８は外側に延伸して、嵌合部４との間に間隙９を形成する。このように、嵌合部４は一定の弾性を有するため、外側の間隙９まで外側に広がることができる。これにより嵌合部４は一定の微調整作用を有し、本発明のガスケットを取り付けることができる取付軸は、より大きい径方向の長さ範囲を有する。
【００３６】
本発明の好ましい実施方式として、前記第２弾性部３の下端中部が内側に凹んで環状の間隙を形成し、環状の間隙は第２弾性部３を嵌合部４および調節部８に分ける。前記嵌合部４は、第１内側湾曲部４１と、第１外側湾曲部４３と、第１内側湾曲部４１から第１外側湾曲部４３まで移行して接続する第１接続部４２とを含む。第１内側湾曲部４１の一端は金属環本体２の下側端部と接続し、もう一端は金属環本体２の内側の方向に延伸し、これにより第１内側湾曲部４１は下部の突起と締り嵌めされる。さらに第１内側湾曲部４１の内径は、上から下まで次第に小さくなる。前記調節部８は、第２内側湾曲部８１と、第２外側湾曲部８３と、第２内側湾曲部８１から第２外側湾曲部８３まで移行して接続する第２接続部８２とを含む。第２外側湾曲部８３の一端は金属環本体２の側壁と接続し、もう一端は金属環本体２の外側方向に延伸する。前記第１外側湾曲部４３は、第２内側湾曲部８１との間に間隙９を有する。
【００３７】
このような設置により、主に嵌合部４と調節部８との間が滑らかに移行して接続され、間隙９を形成する。応力を分散させるのにさらに有利であり、応力が集中するのを防止し、ガスケットの使用寿命を高めた。
【００３８】
図８に示すように、本発明の上記ガスケットを使用した洗濯機の減速クラッチ装置は、洗濯機の内槽と接続する脱水軸５を含む。前記ガスケットは、脱水軸５の内槽と接続する部分に設置され、脱水軸５にガスケットが下降するのを防止する突起１０が設けられる。
【００３９】
本発明の好ましい実施方式として、前記ガスケットの第１弾性部１は脱水軸５と締り嵌めされ、第２弾性部３は突起１０と締り嵌めされる。金属環本体２の内輪の径方向の長さは、脱水軸５の径方向の長さより長く、突起１０の径方向の長さより短い。これにより、本発明のガスケットの金属環本体２は、突起１０の阻害作用下で、下降することはない。第１弾性部と脱水軸５との間の締り嵌め、第２弾性部３と突起１０との間の締り嵌めは、ガスケットを脱水軸５に取り付けて、回転が生じないことを確実に保証した。したがって、本発明のガスケットを減速クラッチ装置の脱水軸に取り付けると、より安定し、脱落しにくく、生産またはメンテナンス時に落ちないことを確実に保証し、洗濯機全体に、パルセータが内槽底部より高くなる、衣類が挟まる、異物が進入するなどの品質の問題が生じるのを防止した。
【００４０】
本発明の好ましい実施方式として、前記脱水軸５の横断面は円形であり、脱水軸５の突起１０と接続する部分の外径は、脱水軸５の外径と等しい。前記脱水軸５に嵌め合わせるガスケットの金属環本体２、第１弾性部１および第２弾性部３は円環状である。
【００４１】
本発明の脱水軸５は簡単な円柱状に製造し、多角形構造または多角形および円形を組み合わせた構造に製造する必要はなく、脱水軸５の製造工程を大幅に簡略化し、コストを低下させた。これと適応して、前記ガスケットの金属環本体２、第１弾性部１および第２弾性部３はいずれも円環状に製造する。構造はより簡単であり、製造工程は簡略化され、製造コストを低下させ、市場に普及される良好な将来性を有する。
【００４２】
他に、本発明の脱水軸５の突起１０と接続する部分の外径は、脱水軸５の外径と等しく、すなわち本発明の脱水軸５に溝構造を設けない。このように溝構造を設けることによる応力集中が生じず、脱水軸５の構造強度が大幅に増大した。
【００４３】
本発明の好ましい実施方式として、前記第１弾性部１の最小内径は、脱水軸５の外径より小さい。前記第２弾性部３の嵌合部４は突起１０と締り嵌めされ、嵌合部４の最小内径は突起１０の外径より小さい。
【００４４】
本発明の減速クラッチ装置は以下の利点を有する。
まず、減速クラッチ装置の脱水軸５は円柱状に設計する。構造はより簡単であり、製造工程はより簡略化され、製造コストを低下させた。
【００４５】
次に、減速クラッチ装置の脱水軸５に溝を加工しない。溝部分の応力集中により、脱水軸が破壊される現象が引き起こされるのを防止することができ、脱水軸５の強度を増大させた。さらに、加工工程も相応に簡略化された。
【００４６】
最後に、本発明の減速クラッチ装置に嵌め合わせるガスケットは、脱水軸５に嵌め合わせた後、下降および回転する現象は生じない。したがって、本発明の減速クラッチ装置におけるガスケットの取付はより安定し、信頼できる。
【実施例】
【００４７】
実施例１
図１に示すように、既存のガスケットは、簡単な円環状の金属環であり、該ガスケットを洗濯機の減速クラッチ装置に取り付ける。定位を行う特別な構造を有さないため、洗濯機の製造、メンテナンスまたは輸送の過程において、ガスケットは脱落しやすく、洗濯機の故障が引き起こされる。さらに、ガスケットが脱落して内槽が下降することにより、パルセータおよび内槽間の隙間が設定値を超え、洗濯過程で衣類が挟まる、および／または詰まる問題が生じる。
【００４８】
図２、図３、図４および図５に示すように、別の既存のガスケットおよび該ガスケットを採用した洗濯機の減速クラッチ装置において、ガスケットは金属環本体２と、金属環本体２の下端端部と固定接続されるゴム環１１とを含む。図４に示すように、上記ガスケットを採用した洗濯機の減速クラッチ装置は脱水軸５を含み、脱水軸５の横断面およびガスケットの金属環本体２の孔形状は、図５からわかるように、いずれも円形および正方形を組み合わせた形状である。脱水軸５の下部に突起１０が設置され、脱水軸５の突起１０と接続する部分に、円環状の溝７が設けられる。ガスケットの金属環本体２の孔形状は、脱水軸５の断面と合致するように設計され、ガスケットは脱水軸５に取り付けられると、溝７部分に到達して一定角度回転する。このように突起１０および脱水軸５の溝７の作用下で、ガスケットに軸方向の変位が生じるのを制限する。
【００４９】
しかし、上記既存技術には以下の問題が存在する。まず、脱水軸５の断面は多角形、または多角形および円形を組み合わせた形状を呈し、このように脱水軸５の加工工程をより複雑にする。次に、脱水軸５に溝７が設けられ、脱水軸５の全体性が損なわれる。溝７部分に応力集中が生じて脱水軸５が破壊されやすくなり、脱水軸５全体の強度が大幅に低下した。最後に、ガスケットの形状は脱水軸５の断面と合致するように設計され、ガスケットの加工工程もより複雑になる。さらに公差に対する要求もより高くなるが、そうでなければガスケットを脱水軸と組み合わせることを実現することができない。
【００５０】
図６および図７に示すように、本実施例のガスケットは円環状の金属環本体２と、金属環本体２の内側に固定され、ゴム材料で製造される第１弾性部１と、金属環本体２の外側に固定され、ゴム材料で製造される第２弾性部３とを含む。
【００５１】
第１弾性部１は上に傾斜して設置され、内径は下端端部から上端端部に向かって次第に小さくなる。
【００５２】
第２弾性部３は下に傾斜して設置され、嵌合部４および調節部８の２つの部分を含む。嵌合部４は、第２弾性部３の一部が金属環本体２の内側に延伸して形成され、調節部８は、第２弾性部３の一部が金属環本体２の外側に延伸して形成される。嵌合部４は、調節部８との間に一定の間隙９を有する。
【００５３】
図８に示すように、本実施例の減速クラッチ装置は脱水軸５を含み、脱水軸５の内部にパルセータ軸６が同軸に設置される。脱水軸５は、洗濯機の内槽と接続される。本実施例のガスケットは、脱水軸５上の、洗濯機内槽と接続する部分に取り付けられ、主に洗濯機内槽の下部である。洗濯機内槽が一定の取付高度を有することを確実に保証し、洗濯機内槽と洗濯機のパルセータとの間の組立関係を実現する。脱水軸５の下部に突起１０が設置され、突起１０の外径は脱水軸５の外径より大きく、突起１０は主にガスケットの下降を防止する。
【００５４】
本実施例の脱水軸５の横断面は円形であり、脱水軸５の突起１０と接続する部分に、溝は設けられない。
【００５５】
本実施例の減速クラッチ装置は以下の利点を有する。
まず、減速クラッチ装置の脱水軸５は円柱状に設計する。構造はより簡単であり、製造工程はより簡略化され、製造コストを低下させた。
【００５６】
次に、減速クラッチ装置の脱水軸５に溝７を加工しない。溝７部分の応力集中により、脱水軸５が破壊される現象が引き起こされるのを防止することができ、脱水軸５の強度を増大させた。さらに、加工工程も簡略化された。
【００５７】
最後に、減速クラッチ装置に嵌め合わせるガスケットは、脱水軸５に嵌め合わせた後、下降および回転する現象は生じない。したがって、減速クラッチ装置におけるガスケットの取付はより安定し、信頼できる。
【００５８】
以上の記載は、本発明の好ましい実施例に過ぎず、本発明をいかなる形式でも制限しない。本発明は好ましい実施例により上記のように開示したが、本発明を限定するものではない。当業者は本発明の技術案を逸脱しない範囲内で、上記に開示した技術的内容を利用して、同等に変更した同等の実施例に修正または修飾することができるが、いずれも本発明の技術案の内容を逸脱しない。本発明の技術的本質に基づいて、以上の実施例に対して行う簡単な修正、同等の変更および修飾は、いずれも本発明案の範囲内に属する。
【符号の説明】
【００５９】
１  第１弾性部
２  金属環本体
３  第２弾性部
４  嵌合部
５  脱水軸
６  パルセータ軸
７  溝
８  調節部
９  間隙
１０  突起
４１  第１内側湾曲部
４２  第１接続部
４３  第１外側湾曲部
８１  第２内側湾曲部
８２  第２接続部
８３  第２外側湾曲部
【図１】
0006524509.tif 000002
【図２】
0006524509.tif 000003
【図３】
0006524509.tif 000004
【図４】
0006524509.tif 000005
【図５】
0006524509.tif 000006
【図６】
0006524509.tif 000007
【図７】
0006524509.tif 000008
【図８】
0006524509.tif 000009